(57)【特許請求の範囲】
【請求項１】
中空容器の口頸部に嵌合可能に形成した混合液を収容する筒状体の底部に流出口を設けた収容筒体と、
該収容筒体に摺動可能に嵌合されて前記流出口を開閉可能にした中筒体と、
からなる混合液を収容する混合液収容体を形成して、
該混合液収容体に混合液を収容して前記中筒体の上端部にヒンジ蓋の筒状胴部を嵌合せしめて開閉自在な蓋体を形成すると共に、
該蓋体にキャップカバーを被着せしめて前記中筒体を回動可能にした蓋体に形成して、
該蓋体を主液が収容されてなる中空容器本体の口頸部に嵌合せしめて、容器内で混合可能に形成し、
前記混合液収容体は、中空容器本体の口頸部の内周面に接する前記収容筒体の内筒壁に、前記中筒体の内筒部を摺動可能に嵌合して、その先端部が内筒壁の底部に設けられた環状溝に嵌合されると共に、中空容器本体の口頸部の外周面に接する前記収容筒体の外筒壁に、前記中筒体の外筒部が回動可能に係合して一体に形成され、
前記中筒体の回動により、前記環状溝の内面に形成された凹溝と、内筒部の先端に設けられた凹状の切り欠き溝と、が合致せしめられ、前記内筒壁の底部に設けられた前記流出口に連通する流出路が形成されるように構成されてなることを特徴とする混合容器。
【請求項２】
前記収容筒体の上端部に、前記内筒壁と前記外筒壁とを頂壁部で連結した断面Ｕ字状の嵌合凹部を形成して、前記頂壁部に中筒体を回動可能に支持する支持片を形成してなることを特徴とする請求項１に記載する混合容器。
【請求項３】
前記外筒部にキャップカバーの内壁面に係合する係止歯が形成されてなることを特徴とする請求項１または２に記載する混合容器。
【発明の詳細な説明】
【０００１】
【発明の属する技術分野】
本願の発明は、複数の種類の内容物を一定の割合で混合して使用可能にした混合分配容器に係わるもので、更に詳細には、混合すべき溶液等の内容物を、ヒンジ蓋を有する一つの注出容器内に各々分離された状態で一体に収容しておいて、使用時に前記内容物を容器内で確実に混合せしめてから注出して使用することができる混合可能な分配容器に関するものである。
【０００２】
【従来の技術】
従来から複数の成分を予め混合しておいて使用するようにしたものとしては、化粧品や殺虫剤、殺菌剤、調味料その他の飲食品等の多くのものが知られているが、しかし、混合した状態で長期間にわたって保管されているうちに、内容物が変質したり、劣化したりするようなものについては、通常はそれぞれの成分を別々の容器に保管しておいて、使用する直前になって各容器から取り出して混合してから使用する方法が取られている。
【０００３】
そして、上記のように複数の内容物を別々の容器に収容したものは、内容物を容器から注出して混合する際に、内容物がこぼれて無駄を生じたり、周囲を汚したり、また、混合比率が一定しなかったりする等の問題点があった。
そこで、別々に収容された内容物をこぼさずに容器内で混合できるようにすることが考えられて、その結果、実開昭６１−１４１２３１号公報や実開昭５８−４６７４１号公報、あるいは、実開昭５８−１４５８６８号公報や実開平２−１６７７７号公報等に見られるように、同一容器の内部を破断可能な仕切り体を設けて区切った混合可能な容器や異なる内容物が収容された二つの容器を連結して一体にした容器等が各種提案されている。
【０００４】
しかし、上記したような構造の混合容器は、構造が複雑であったり、開閉蓋がないので、使いかけのものを保存しておくことができずに、混合したものは全部使い切らなくてはならなかったりして、生産コストや商品としての価格を低減することが困難である。
そこで、容器の構造をもう少し簡単にすると共に、内容物を容易に混合できるようにした混合容器を形成するために、溶液を収容した中空容器の口頸部に螺着する蓋体部分に混合すべき成分を収容した混合容器が、実公昭５２−５１１０３号公報や実開平４−１３２０６９号公報等に提案されている。
【０００５】
上記したような考案の混合容器は、使用する際に蓋部を捻ることにより、蓋部分に液体等が収容された収容室の底部の一部が破断開口して、開口部から液体が流出して、容器本体部分に収容された液体上に落下して混合するので、混合液が漏れるようなこともなく、簡単に混合することができて、また、容器の開口部も蓋体により密閉されているので、使い残した混合液も保存しておくことができて便利である。
しかし、上記公報に記載された考案は、密閉蓋部がねじ蓋形式であるので、蓋部を開閉するのにやや面倒な点があり、また、開口部が容器の口頸部の先端から蓋部を外したままの大きさであるから、容器を傾けて注出刷る際に内容物が出過ぎる傾向ことがある。
【０００６】
そこで、上記のような問題点を改良して、内溶液の混合が簡単にできて、容器の蓋部の開閉が容易にできるようにすると共に、内溶液を注出する際には、注出量を容易に加減することができるような構造にするために、ヒンジ蓋を有する蓋体を用いた混合容器の発明が、特開２０００−７２１８５号として、提案されている。
上記混合容器の発明は、容器の開口部を開閉する蓋体として、ヒンジ蓋からなる蓋体を用いて蓋部の開閉が容易にできるようにすると共に、該蓋体に混合液を収容可能に形成して、該蓋体を主液を収容した中空容器本体の口頸部に嵌着して、簡単に混合液を混合することができるように構成した二液混合形式の混合容器である。
【０００７】
上記混合容器は、図４に示すように、中空容器４１の口頸部４１ａに螺合可能に形成した筒状体４２にヒンジ蓋４３を螺着して一体にした蓋体４６に混合液を収容したものを、溶液を収容した容器本体の口頸部に螺着して構成されている。
そして、前記筒状体４２は、下端部に容器本体の口頸部４１ａに螺合するネジ部４２ａと開閉弁を形成する開口部４２ｃを設けた底壁部４２ｂを有すると共に、上端部にヒンジ蓋４３を螺着、固定するネジ部４２ｄが形成されている。
このように形成された筒状体４２の上端部に、注出口兼充填口４４ａが設けられた中蓋４４を有するヒンジ蓋４３の外筒部４３ａを螺着、固定すると共に、ヒンジ蓋の中蓋の下面に設けられた栓体４４ｂを前記開口部に嵌入、密着させて開閉弁を構成して、混合液を収容する収容部を形成した蓋体４６を形成する。
【０００８】
上記のように形成された蓋体４６を主液を収容した中空容器本体４１の口頸部４１ａに嵌着、固定して、該蓋体に混合液を中蓋の注出口４４ａから充填してから、ヒンジ蓋の外蓋４５を閉じると、外蓋の内面に突設された密閉栓４５ａが前記注出口に嵌合して密閉されて、液体混合容器が形成される。
このように形成された液体混合容器は、使用するに際して、図５に示すように、ヒンジ蓋４３の外蓋４５を開いてからヒンジ蓋の外筒部４３ａを捻じると、前記栓体４４ｂが上方へ移動して底部が開口するので、蓋体の収容部に収容されていた混合液が容器本体内の主液上に落下して混合される。
【０００９】
このようにして、蓋体の内部に収容されていた混合液が容器本体内の主液の上に落下して混合されたものは、そのまま中空容器を揺することにより内容液は均一に混合されるので、ヒンジ蓋を開いた容器を傾けることにより混合された溶液は注出口から所定量づつ注出してそのまま使用することができる。
そして、このようにして使用した後に使い切れずに混合溶液が残された場合には、ヒンジ蓋４３を再び閉じることにより、ヒンジ蓋の外蓋４５の内面に突設した密閉栓４５が中蓋の開口部４４ａに密に嵌入されるので、容器の開口部を簡単に密閉することができて、暫くの間は密封状態で保存することができる。
【００１０】
上記のように構成された混合容器は、ヒンジ蓋からなる蓋体の内部に収容されている混合用の溶液を、特別な操作をしなくても、単にヒンジ蓋の外筒部を捻ることにより容易に容器本体内に流出させて、容器本体内で容易に均一に混合することができて、そのまま使用することができるので便利であり、また、使用した後で容器の開口部を簡単に密封することができて保存性もある。
しかし、上記した混合容器は、蓋体のヒンジ蓋が剥き出し状態になっているので、不用意にヒンジ蓋が廻るような力が作用すると、内部の混合液が流出して主液と混合する恐れがある。
また、このような蓋体の構造はやや複雑な形状をしていて、成形金型の製作が面倒な点があり、また、蓋体を組み立てるのにも手間が掛かるので、生産コストを低減させて安価な混合容器を製造するにはやや困難な点もあって、まだ改良の余地がある。
【００１１】
【発明が解決しようとする課題】
混合すべき二液を一つの容器内に別々に分離して収容した混合容器に於いて、容器の蓋部内に収容した混合すべき溶液と中空容器本体内に収容した主液とを中空容器本体内で簡単に混合できるような構造にした混合容器を形成するために、前記中空容器の口頸部に嵌着して開口部を密閉する蓋体を、容易に開閉することができるような蓋体に形成すると共に、該蓋体が不用意に開くことがないように形成して、更に、前記蓋体内に収容した混合すべき溶液を簡単に放出することができるように形成すると共に、使い残した溶液を保存することができるように前記容器本体の開口部を密に閉止できるように形成する。
そして、このような蓋体をできるだけ簡単な構造をしたものとすることにより、蓋体を容易に組み立てることができるようにして、安価に製造することができるようにした混合容器を提供することを目的とする。
【００１２】
【課題を解決するための手段】
混合容器本体の口頸部に嵌着する蓋体をヒンジ蓋を用いて容易に開閉できるような蓋体に形成すると共に、該蓋体内に混合すべき混合溶液を簡単に流出できるように密封した蓋体に形成して、主液を収容した中空容器本体の口頸部に簡単に嵌着された前記蓋体を回動させることにより混合溶液を簡単に流出できるように形成すると共に、前記蓋体から流出した混合溶液を主液に混入せしめて前記容器本体内で容易に混合できるようにした混合容器を形成する。
【００１３】
上記したヒンジ蓋からなる開閉自在な蓋体は、中空容器の口頸部に嵌合して混合液の収容室を形成する筒状の収容筒体に流出口を設けておいて、該収容筒体に前記混合液の流出口を密閉、開放する中筒体を摺動可能に嵌合して混合液収容体を形成すると共に、該混合液収容体の中筒体の先端部にヒンジ結合された開閉自在な外蓋を有するヒンジ蓋の円筒状胴部を嵌合せしめて一体となすことにより、中空容器の口頸部に嵌合可能で開閉自在な蓋体を形成する。
上記のように形成された蓋体の混合液収容体内に混合すべき溶液を収容してなるヒンジ蓋からなる開閉自在な蓋体にキャップカバーを冠着せしめて、蓋体が不用意に開くのを防止すると共に、前記混合液収容体の中筒体を回動可能となして、前記流出口を開口可能となした蓋体を、主液を収容した中空容器本体の口頸部に嵌着せしめて容易に混合可能にした混合容器を形成する。
【００１４】
【発明の実施の形態】
コンタクトレンズやその他の物品を消毒したり、洗浄したりするのに適した各種の溶液、あるいは、各種の液体化粧料や調味料、または、複数の液体等を混合して使用する溶液を一つの容器に収容してなる混合容器を、主液を収容した中空容器本体１と、前記容器本体の口頸部１ａに嵌着可能に形成すると共に、主液に混合すべき混合液を流出可能に収容したヒンジ蓋からなる開閉自在な蓋体２とから構成する。
前記蓋体２は、中空容器本体１の口頸部１ａに嵌合可能に形成した筒状の混合液収容筒体３と、該収容筒体に摺動可能に嵌合して混合液を流出可能にした混合液収容体を形成する中筒体４と、該混合液収容体の中筒体４の開口端に嵌着する開閉自在なヒンジ蓋５とを一体に結合した蓋体に、キャップカバーを前記中筒体４を回動するように被着せしめて構成される。
【００１５】
そして、前記筒状の収容筒体３は、中空容器本体１の口頸部１ａの内周面に密着する内筒壁３ａと外周面に回動および変位不能に嵌合する外筒壁３ｂとを頂壁部３ｃで連結して断面Ｕ字状に形成して、頂壁部３ｃ上面に中筒体４を支持するようにして係合する支持片３ｄを立設すると共に、前記内筒壁３ａの底部３ｅには中筒体４の下端部４ｆが嵌合する環状溝３ｆと混合液が流出する流出口３ｇを設けて、中筒体４の回動により流出口３ｇが開口するように形成されている。また、前記中筒体４は、収容筒体３の内筒壁３ａの内面に密着する内筒部４ａと収容筒体３の外筒壁３ｂの外周面に係合する外筒部４ｂとをフランジ部４ｃで連結して、支持片３ｄが係合する係合凹部を形成すると共に、前記フランジ部よりも上に突出した内筒部４ａの上端部にヒンジ蓋５が嵌合するように形成されている。
【００１６】
上記のように形成した混合液収容筒体３内に中筒体４の内筒部４ａを摺動可能に嵌合せしめて、該内筒部の先端を収容筒体３底部の環状溝３ｆに挿入して、流出口３ｇを密閉するように装着して混合液収容部を形成すると共に、中筒体４の係合凹部に収容筒体３の支持片３ｄを係合せしめて、外筒部４ｂを収容筒体３の外筒壁３ｂに係合させて一体にして混合液収容体を形成する。このように形成した混合液収容体内に混合液を収容してから中筒体４の上端部にヒンジ蓋５を嵌着して、開閉自在な蓋体２を形成した後、該蓋体にキャップカバー８を被着せしめて中筒体４を回動可能にして、中空容器１の口頸部１ａに嵌合可能な蓋体２を構成する。そして、上記のようにして混合液を収容したヒンジ蓋５からなる開閉自在な蓋体２を、主液を収容した中空容器本体１の口頸部１ａに嵌着することにより、図１および図４に示すような、極めて簡単に二つの溶液を混合可能にした混合容器を形成する。
【００１７】
上記のように構成された混合容器は、キャップカバー８を手先で掴んで回転させることにより、図２に示したように、前記中筒体４が回転して密閉されていた流出口３ｇが開口して、前記混合液収容体内に収容されていた混合液が流出口３ｇから中空容器本体１内に流出して主液中に落下して混ざるので、中空容器を振盪することにより混合液と主液とが均一になるように混合することができる。
このようにして容器内で溶液が均一に混合された中空容器は、更にキャップカバー８を回転させると、蓋体２に係合していたキャップカバー８の係合突起８ｂが収容筒体３の外周の案内溝３ｋから外れて、キャップカバー８は蓋体２から分離してヒンジ蓋５が現れるので、ヒンジ蓋の鍔部５ａに指先を掛けて押し上げると外蓋７が開くので、容器を傾けることにより混合された溶液を蓋体の開口６ａから簡単に注出して使用することができる。
【００１８】
【実施例】
本願発明の液体混合容器について、最適な実施例に基づいて、図面を参照しつつ以下に詳細に説明する。
本願の発明は、混合される複数の溶液を一つの容器に収容した混合容器を、図４に示すように、主液を収容してなる中空容器本体１の口頸部１ａに、混合すべき溶液を収容してなるヒンジ蓋５からなる開閉自在な蓋体２を嵌着して、該蓋体にキャップカバー８を被着して溶液を混合可能に構成したものである。
前記開閉自在な蓋体２は、図１に示すように、中空容器本体１の口頸部１ａに嵌着可能に形成した筒状体の底部に流出口３ｇを設けた収容筒体３と、該収容筒体に摺動可能に嵌合して前記流出口を開閉可能にする中筒体４と、該中筒体４に嵌合するヒンジ蓋５とから形成される。
そして、上記収容筒体３に対して中筒体４を混合液の流出口３ｇを開閉可能となるように嵌合せしめて一体となした混合液収容体を形成して、前記中筒体４の開口端部にヒンジ蓋５の円筒胴部５ｃを嵌合せしめて一体となして開閉自在な蓋体２に形成して、該蓋体にキャップカバー８を被着して、該キャップカバーの回転により中筒体４が回動するように形成して、中空容器の口頸部に嵌合可能な蓋体を構成する。
【００１９】
前記のように構成した蓋体２に於いて、混合液を収容する収容筒体３は、図３に示すように、中空容器本体１の口頸部１ａの内周面に密着する内筒壁３ａと外周面に嵌合する外筒壁３ｂとを頂壁部３ｃを介して連結して断面Ｕ字状をした嵌合凹部が形成されて、前記頂壁部３ｃには、収容筒体３に嵌合して混合液の流出口３ｇを開閉する中筒体４を支持して係合する支持片３ｄを立設して、また、収容筒体３の底部３ｅには、中筒体４の下端部４ｆが係合される環状溝３ｆと該環状溝に混合液を流出させる流出口３ｇが形成されている。同じく、前記中筒体４は、収容筒体３の内筒壁３ａに嵌合する内筒部４ａと、その上部壁面に突設したフランジ部（頂壁部）４ｃと、該フランジ端部から垂設した外筒部４ｂとで前記収容筒体３の支持片３ｄが係合する係合凹部が形成されて、また、外筒部４ｂの外面にはキャップカバー８の係合突条８ａが係合する係止歯４ｄが形成されている。
【００２０】
上記のように形成された中筒体４は、内筒部４ａが前記収容筒体３の内筒壁３ａに嵌合されると共に外筒部４ｂが収容筒体３の外筒壁３ｂに嵌合されるが、それと同時に係合凹部に収容筒体３の支持片３ｄが係合されて一体になった混合液収容体が形成される。この時、上記混合液収容体の底部は、収容筒体３の底部３ｅに設けられた環状溝３ｆに、中筒体４の内筒部４ａの凹状の切り欠き溝４ｅを設けた下端部４ｆが係合されて、前記環状溝３ｆの内面に部分的に複数設けた流出路９を形成する凹溝３ｈが内筒部４ａの壁面により塞がれた状態にある。
【００２１】
そして、上記のようにして形成された混合液収容体内に混合液を収容してから、前記中筒体４の内筒部４ａの上端部にヒンジ蓋５の円筒胴部５ｃの下端部を嵌合せしめることにより前記混合液収容体にヒンジ蓋５を固定して、中空容器本体１の口頸部１ａに嵌着可能にした開閉自在な蓋体２を形成する。
このように形成された蓋体２に、不用意にヒンジ蓋５が開くのを防止した筒状のキャップカバー８を回動可能に被着されるが、該キャップカバーには、内周面に中筒体４の係止歯４ｄに係合する係合突条８ａと収容筒体３の案内溝３ｋに係合する係合突起８ｂが設けられていて、キャップカバー８を回転させると前記係合突条８ａが上記中筒体４の外筒部４ｂに設けられた係止歯４ｄに係合して中筒体４を回動させるように構成されている。
【００２２】
上記のように形成されたキャップカバー８は、係合突起８ｂが収容筒体３の案内溝３ｋに係合するようにして蓋体２に被着されてから、混合される主液を収容した中空容器本体１に装着可能に形成される。
このように形成された混合液が収容された蓋体２は、図１に示したように、蓋混合液を収容した収容筒体３の内筒壁３ａと外筒壁３ｂとで形成された嵌合部内に容器本体１の口頸部１ａを嵌合せしめて、前記混合液収容筒体３が回動および変位不能に固定されて、二液を混合可能にした混合容器が形成される。
【００２３】
このようにして形成された混合容器は、使用するに際して、蓋体２の外周に被着されたキャップカバー８を掴んで収容筒体３の流出口３ｇが開口する方向へ捻ると、図２に示すように、キャップカバー８の内面に設けられた係合突条８ａが中筒体４の外筒部４ｂに設けられた係止歯４ｄに係合して、キャップカバー８が回転するのに伴って中筒体４が回動されるので、中筒体４の内筒体４ａの先端部に形成された凹状の切り欠き溝４ｅが、収容筒体３の内筒壁３ａの壁面に形成した凹溝３ｈと合致して流出路９となって流出口３ｇに連通する。このようにして塞がれた状態にあった流出口３ｇが開口すると、混合液収容体に収容されていた混合液は矢印で示すように流出口３ｇから中空容器本体１内に流出して、中空容器本体１内の主液上に混入されるが、更に、前記キャップカバー８を回転させることにより、キャップカバー８は、係合突起８ｂが蓋体２の収容筒体３の外周部に係合していた案内溝３ｋの終端から外れて分離されることになり、蓋体のヒンジ蓋５が剥き出し状態になる。
【００２４】
上記のようにして蓋体２内の混合液が主液に混入された中空容器１は、そのまま容器を振盪させることにより溶液は均一に混合してから、ヒンジ蓋５の外蓋７の鍔部５ａを指先で押し上げることにより外蓋７を容易に開口させることができるので、外蓋７が開口された中空容器１は、胴壁部を傾けることにより中蓋６の開口部６ａから内溶液を簡単に注出して使用することができる。
このようにして溶液を注出して使用した後で、再びヒンジ蓋５を閉じると、外蓋７の裏面に突設された栓体７ａが中蓋６の注出口６ａに嵌入されて、開口部が密閉されるので、しばらくの間は品質を損なわずに保存することができる。
【００２５】
以上、説明したように、本願の発明は、ヒンジ蓋からなる蓋体に混合すべき溶液を収容して形成した開閉自在な蓋体を、主液を収容した中空容器本体の口頸部に嵌着して混合容器を構成したものであるから、容器の形状や容量の制限を受けるようなこともなしに、色々な大きさの混合容器をコンパクトに形成することができて、また、従来のものに比べて構造が簡単であり、容易に組み立てることができて生産性がよいので、製造コストを低減することができる。
また、本願発明の蓋体には、その外周部にキャップカバー８を設けてあるので、製品を移送する途中や保管中に不用意にヒンジ蓋が開いたり、蓋部が回転して混合液が流出するようなこともなくて、また、溶液を混合する際には、蓋体を捻じることを容易に行うことができる。
【００２６】
そして、本願の発明の混合容器は、使用する際に、混合する溶液を外部にこぼして無駄にしたり、手や周辺部を汚したりするようなこともなく、決められた規定量を確実に、且つ、簡単に混合することができて、非常に便利である。
また、本願の発明は、容器の開口部に一度に混合溶液が集中しないよう構造にしたので、一度に多量の溶液が注出されるようなこともなく、また、注出する溶液の注出量をコントロールし易いような大きさに開口したので、必要とする量だけを簡単に注出することができて、更に、使用した後で残された混合液は、再びヒンジ蓋を閉めることにより緊密に開口部を閉止することができて、暫くの間は内容物が変質しないように保存することができる。
【００２７】
【発明の効果】
本願の発明は、ヒンジ蓋からなる蓋体に混合すべき溶液を収容した蓋体を、主液を収容した中空容器本体の口頸部に嵌着したものであるから、色々な大きさの混合容器をコンパクトに形成することができる。
また、蓋体の構造を簡単にしたので、生産性がよくなって製造コストを低減することができて、また、混合する際に蓋体の一部が容器本体内に落下して、混合液中に残らないような構造にしたので、必要とする量の溶液を容易に注出することができる。
【００２８】
更に、ヒンジ蓋の外蓋に栓体を突設して、中蓋の注出口に嵌入して密閉するようにして蓋体を形成したので、蓋体は開閉が容易であると同時に密閉度もよくなって、使いかけの混合液を再封して保存することができる。
そして、蓋体の外周部にキャップカバー８を設けたので、製品を移送する途中や保管中に思わぬ事態が発生したとしても、不用意に蓋部が開口して内溶液が零れたり、混合するようなこともなくて安心できる構造をしている。
【図面の簡単な説明】
【図１】本願発明の混合容器を示す横断面（ａ）と縦断面（ｂ）である。
【図２】本願発明の混合容器に於いて、中筒体を回転させて混合液を流出させて混合する状態を示す横面図（ａ）と縦断面（ｂ）である。
【図３】本願発明の蓋体を組み立る状態を示す縦断面である。
【図４】本願発明の混合容器を示す側面図である。
【図５】本願発明の先行例を示す部分断面図である。
【図６】図５に示す先行例の混合時を示す部分断面図である。
【符号の説明】
１．中空容器本体
２．蓋体
３．収容筒体
３ｅ．底部
３ｇ．流出口
４．中筒体
５．ヒンジ蓋
６．中蓋
７．外蓋
８．キャップカバー
９．流出路
【図１】
0004721208.tif 000002
【図２】
0004721208.tif 000003
【図３】
0004721208.tif 000004
【図４】
0004721208.tif 000005
【図５】
0004721208.tif 000006
【図６】
0004721208.tif 000007